(57)【要約】【課題】  読み取りガラスの汚れ状態を、オペレータ、サービスマンに解り易くして、清掃し易くし、通常使用する読み取り濃度条件では、画像に出ないレベルの汚れに対しても出力することにより、ユーザ、オペレータに、画像上にスジとなって現れる前に清掃を促す画像読み取り装置を提供する。【解決手段】  シートスルー方式の読み取り装置１において、原稿Ｐを搬送しない状態で、読み取ったデータをコピー画像に出力する機能を有する。【選択図】        図１
2005167858.tif 000002
【特許請求の範囲】
【請求項１】
シートスルー方式の読み取り装置において、原稿を搬送しない状態で、読み取ったデータをコピー画像に出力する機能を有することを特徴とする画像読み取り装置。
【請求項２】
前記原稿を搬送しない状態で、読み取り条件を変化させながら読み取ったデータをコピー画像に出力する機能を有することを特徴とする請求項１記載の画像読み取り装置。
【請求項３】
前記原稿を搬送しない状態で、読み取り位置を変化させながら読み取ったデータをコピー画像に出力する機能を有することを特徴とする請求項１記載の画像読み取り装置。
【請求項４】
前記原稿を搬送しない状態で、読み取り位置を変化させ且つ読み取り濃度を変化させながら、読み取ったデータをコピー画像に出力する機能を有することを特徴とする請求項１記載の画像読み取り装置。
【発明の詳細な説明】
【技術分野】
【０００１】
本発明は、デジタル読み取り方式の複写機、ファクシミリ、スキャナ等の、ＡＤＦを備えたシートスルー型画像読み取り装置に関するものである。
【背景技術】
【０００２】
シートスルー方式の読み取り装置において、原稿読み取り開始に先立ち、白圧板上の白基準画像を読み取り、さらに、読み取られた白データからゴミ検知を行い、ゴミの付着位置を指示するレポートを記録紙に出力することは知られている（例えば特許文献１および２参照）。
特に、特許文献２には、画像読み取り手段の位置を固定し原稿を搬送させながら画像を読み取る画像形成装置において、原稿を流さない状態でガラス板と原稿給送部の裏面画像との読み取りを実行してゴミ検知を行い、ゴミがあるとの検出結果が得られたさいにはゴミが検出されたことを示すメッセージを表示することが開示されている。
【特許文献１】特開２００２−０８４３９２公報
【特許文献２】特開２００３−１５２９６６公報
【発明の開示】
【発明が解決しようとする課題】
【０００３】
しかしながら、特許文献１では、白基準板を読み取ったデータから汚れを判断し、その状態を出力する機能を有しているが、読み取る位置、画像濃度等は固定された条件である。
したがって、例えば、ガラスは汚れてはいるが、汚れの程度で画像には現れて来ないとか、位置が微妙にずれているため画像に出て来ないという場合は検知ができない。
本発明は、上述した実情を考慮してなされたもので、読み取りガラスの汚れ状態を、オペレータ、サービスマンに解り易くして、清掃し易くし、通常使用する読み取り濃度条件では、画像に出ないレベルの汚れに対しても出力することにより、ユーザ、オペレータに、画像上にスジとなって現れる前に清掃を促す画像読み取り装置を提供することにある。
【課題を解決するための手段】
【０００４】
上記の課題を解決するために、請求項１に記載の発明は、シートスルー方式の読み取り装置において、原稿を搬送しない状態で、読み取ったデータをコピー画像に出力する機能を有する画像読み取り装置を特徴とする。
また、請求項２に記載の発明は、前記原稿を搬送しない状態で、読み取り条件を変化させながら読み取ったデータをコピー画像に出力する機能を有する請求項１記載の画像読み取り装置を特徴とする。
また、請求項３に記載の発明は、前記原稿を搬送しない状態で、読み取り位置を変化させながら読み取ったデータをコピー画像に出力する機能を有する請求項１記載の画像読み取り装置を特徴とする。
また、請求項４に記載の発明は、前記原稿を搬送しない状態で、読み取り位置を変化させかつ読み取り濃度を変化させながら、読み取ったデータをコピー画像に出力する機能を有する請求項１記載の画像読み取り装置を特徴とする。
【発明の効果】
【０００５】
本発明によれば、読み取り条件を変えながら読み取ることにより、現時点ではスジにならないレベルの汚れも出力するため、サービスマン、ユーザに問題発生前に注意を促すことができる。
【発明を実施するための最良の形態】
【０００６】
以下、図面を参照して、本発明の実施形態を詳細に説明する。図１は本発明による基本的な原稿読み取り搬送装置（ＡＤＦ）を説明する概略図である。図１において、原稿読み取り搬送装置（ＡＤＦ）１の給紙／分離部は、原稿テーブル２に積み重ねられた原稿Ｐを最上位から１枚ずつ順番に搬送する。
底板４は原稿テーブル２上の原稿給紙側を支持して呼び出しコロ５に接する位置まで上昇させる。給紙部材１４は給紙方向に回転して呼び出しコロ５よって呼び出された原稿Ｐを取り込み、分離部材７は給紙方向と逆方向に回転し、給紙された原稿Ｐの最上位の１枚のみを分離する。
搬送部は給紙／分離部から搬送された原稿Ｐをコンタクトガラス３上の読み取り位置まで搬送するための搬送ローラ対８、８ａ、中間搬送ローラ１１、１１ａ等から構成されている。
搬送ローラ対８、８ａにより挟持搬送されてきた原稿Ｐはコンタクトガラス３上を移動して装置本体２０の本体側ガイド２０ｃに掬い取られた後、原稿Ｐが搬送ローラ対８、８ａおよび中間搬送ローラ１１、１１ａに挟持されている間は、原稿Ｐが張った状態で、コンタクトガラス３と非接触となりかつ読み取りガイド部材２１との接触面が小さい状態を維持する。
原稿Ｐの画像面を読み取る読み取り部１０はコンタクトガラス３の下方の装置本体２０に設けられ、画像読み取りの際に、コンタクトガラス３の下方で図の左右方向に移動、または読み取り位置下方で停止可能になっている。
本実施の形態では、ＡＤＦ１により原稿を１枚ずつ搬送し、読み取り装置１のコンタクトガラス３の上を通過する間に画像を読み取る。画像の読み取りは読み取り装置１で行う。装置本体２０は、図示してないが、画像を読み取り、そのデータをコピー画像として出力する機能を備えている。
原稿Ｐ上の画像は読取り装置１のミラー（２５、２７、２８）、レンズ（２９）を通って、ＣＣＤ（３０）に結像する。ＣＣＤ（３０）によって取り込まれた画像データは、画像処理を施された後、プリンタ部へ送られ出力される。
【０００７】
本実施の形態では、原稿Ｐを通さない状態で、画像読み取りの読み取り濃度を変化させながら画像を読み取り、そのデータをコピー画像として出力する機能を備えている。
コンタクトガラス３の読み取りライン上に汚れがあると、画像ではスジになって現れる。ただし、汚れの程度によっては読み取りデータ上には異常があっても、画像処理後はスジとならない場合もある。
本実施の形態では、読み取り濃度を変化させながら、画像データを読み取り、その結果を出力する。例えば、読み取り濃度を５段階設定できる場合、転写紙を搬送方向に５分割し、読み取り濃度に対応してデータを出力する。
この動作は、例えば、オペレータが操作できるように、操作部（図示せず）にキー等を設けてもよいし、サービスマンだけが操作できるようなモードでのみ実行できるようにしてもよい。
本実施の形態では、読み取り条件を変える例として、読み取り濃度について述べたが、読み取り条件としては、文字モードと写真モードの変更や、さらにそれに濃度変更を組み合わせてもよい。
【０００８】
図２は本実施の形態における第１の出力画像を示す概略図である。本実施の形態の出力画像では、転写紙の進行方向の途中からスジが出ている。これは読み取り濃度を徐々に濃くしていった場合である。
この例では、濃度の濃い側の２段階でスジが発生している。通常使用する読み取り濃度が中央であるとするならば、図２に示すように、現在の中央の段階ではスジにはならない。
コンタクトガラス３に汚れはあるが、程度が軽い場合には、読み取り濃度によっては画像には出ない場合もある。通常使用する読み取り濃度で出なければ問題にはならないが、汚れが進行するとやがて画像に現れて問題となる。
本実施の形態では、現時点ではスジを形成しないようなレベルの汚れも出力するため、サービスマン、ユーザにスジ形成の問題発生前に注意を促すことができる。
図３は本実施の形態における第２の出力画像を示す概略図である。本実施の形態では、原稿を通さない状態において、読み取り位置を変化させながら画像を読み取り、そのデータをコピー画像として出力する機能を備えている。読み取り位置の移動は、例えばキャリッジ（図示せず）を駆動しているステッピングモータ（図示せず）で行う。
例えば、読み取り位置をデフォルト位置とその前後各２箇所、−１、−０．５、０、＋０．５、＋１の計５個所で読み取りを行った例では、以下のような制御になる。
１．まず、ステッピングモータにパルスを入力してキャリッジを移動させ、読み取り位置を、−１に設定する。
２．その位置で、転写紙搬送方向長さの、１／５に相当する画像を読み取り、出力する。
３．次に、ステッピングモータにパルスを入力してキャリッジを移動させ、読み取り位置を、−０．５に設定する。以上の動作を読み取り位置が＋１になるまで繰り返す。
図３の出力画像の例では、４番目の読み取り位置でスジが発生している。通常使用するのが３番目の位置とすると、今の段階では画像上にはスジは出ないことになる。
このように、コンタクトガラス３上に汚れがあっても、読み取り位置から僅かにでも外れていれば、スジは画像上に出て来ない。しかし、汚れが成長してくるとやがては画像に出てくる可能性がある。現在の読み取り位置の近くの汚れを検知できれば、サービスマン、ユーザに問題発生前に注意を促すことができる。
【０００９】
図４は本実施の形態における第３の出力画像を示す概略図である。本実施の形態では、原稿を通さない状態で、読み取り位置を変化させ、かつ読み取り条件を変化させながら画像を読み取り、そのデータをコピー画像として出力する機能を備えている。
原稿を通さない状態で、読み取り位置を変化させ、かつ読み取り条件を変化させながら画像を読み取り、そのデータをコピー画像として出力する機能は装置本体に設けられる。読み取り位置を５個所、読み取り濃度を５段階に変化させる場合の例を示す。動作としては以下のようになる。
１．まず、ステッピングモータにパルスを入力してキャリッジを移動させ、読み取り位置を、−１に設定する。
２．その位置で、転写紙搬送方向長さの、１／５に相当する画像を読み取り濃度を５段階変化させながら読み取る。
３．次に、ステッピングモータにパルスを入力してキャリッジを移動させ、読み取り位置を、−０．５に設定する。
この例では、４番目の読み取り位置で濃度の濃部分でスジが出ている。通常使用するのが３番目の位置とすると、今の段階では画像上にはスジは出ない。コンタクトガラス３上に汚れがあっても、読み取り位置から僅かにでも外れていれば、画像上には出て来ない。
また、汚れの程度によっては画像上には出て来ない。しかし、汚れが成長してくるとやがては画像に出てくる可能性がある。現在の読み取り位置の近くで、画像には出て来ないレベルの汚れを検知できれば、サービスマン、ユーザに問題発生前に注意を促すことができる。
また、読み取り位置を変えながら、または読み取り位置および読み取り条件を変えながら読み取ることにより、現時点ではスジにならないレベルの汚れも出力するため、サービスマン、ユーザに問題発生前に注意を促すことができる。
【図面の簡単な説明】
【００１０】
【図１】本発明による基本的な原稿読み取り搬送装置（ＡＤＦ）を説明する概略図。
【図２】本実施の形態における第１の出力画像を示す概略図。
【図３】本実施の形態における第２の出力画像を示す概略図。
【図４】本実施の形態における第３の出力画像を示す概略図。
【符号の説明】
【００１１】
Ｐ  原稿
１  画像読み取り装置
３  コンタクトガラス
１０  読み取り部
２０  装置本体
【図１】
2005167858.tif 000003
【図２】
2005167858.tif 000004
【図３】
2005167858.tif 000005
【図４】
2005167858.tif 000006